(57)【要約】【課題】回転方向に動かしても、柄の長さ方向に動かしても適切に洗浄することができる洗浄具を提供すること。【解決手段】柄１１と、この柄の一端に配設された褶擦部３２とを備える洗浄具であって、前記柄が、前記一端に前記褶擦部を備えた長く延びる本体１６と、この本体から他端側に延びており、前記本体の長さ方向の中心軸Ｃ１よりも外側に偏心して設けられる把手部１３と、前記本体と前記把手部との間に形成した挟持片１５とを備える。【選択図】図１
2006247409.tif 000002
【特許請求の範囲】
【請求項１】
柄と、この柄の一端に配設された褶擦部とを備える洗浄具であって、
前記柄が、
前記一端に前記褶擦部を備えた長く延びる本体と、
この本体から他端側に延びており、前記本体の長さ方向の中心軸よりも外側に偏心して設けられる回動可能な把手部と、
前記本体の前記中心軸から前記外側の方向に曲折もしくは湾曲して延びており、前記本体と前記把手部とを接続する部分と、
前記曲折もしくは湾曲した接続部分から延びる突出部とされた保持部と
を備えており、
前記保持部が引き金形状とされている
ことを特徴とする、洗浄具。
【請求項２】
柄と、この柄の一端に配設された褶擦部とを備える洗浄具であって、
前記柄が、
前記一端に前記褶擦部を備えた長く延びる本体と、
この本体から他端側に延びており、前記本体の長さ方向の中心軸よりも外側に偏心して設けられる回動可能な把手部と、
前記本体の前記中心軸から前記外側の方向に曲折もしくは湾曲して延びており、前記本体と前記把手部とを接続する部分と、
前記接続部分の前記湾曲もしくは曲折箇所において、その表面に滑り止め手段を形成してなる保持部と
を備えてることを特徴とする、洗浄具。
【請求項３】
柄と、この柄の一端に配設された褶擦部とを備える洗浄具であって、
前記柄が、
前記一端に前記褶擦部を備えた長く延びる本体と、
この本体から他端側に延びており、前記本体の長さ方向の中心軸よりも外側に偏心して設けられる回動可能な把手部と、
前記本体の前記中心軸から前記外側の方向に曲折もしくは湾曲して延びており、前記本体と前記把手部とを接続する部分と、
前記接続部分の前記湾曲もしくは曲折箇所において、他の領域よりも厚みを薄くすることにより形成した保持部と
を備えてることを特徴とする、洗浄具。
【請求項４】
前記保持部の表面には滑り止め手段が設けられていることを特徴とする請求項３に記載の洗浄具。
【発明の詳細な説明】
【技術分野】
【０００１】
この発明は、例えば哺乳瓶等の小さな開口を有する比較的深い容器の内側を洗浄するための洗浄具の改良に関するものである。
【背景技術】
【０００２】
図１５は、従来の洗浄具を示している。
図において、洗浄具１は、やや長尺の柄２と、この柄２の先端に取り付けたスポンジ等でなる洗浄部３と、柄２の他端に設けられたハンドル５を有している。
ここで、ハンドル５は、柄２の他端側に湾曲部４を介して、この柄２の長さ方向の中心軸から偏心した位置に設けられている。
【０００３】
このような洗浄具１にあっては、特に、哺乳瓶６等の狭い開口６ａから洗浄部３を強制的に内部に挿入し、柄２に対して回転可能に形成したハンドル５を矢印Ａで示す方向に回転させることにより、洗浄を行う。これにより、洗浄部３は、その外周が円筒状の哺乳瓶６の内面に擦られることによって、比較的狭い開口６ａしか隙間のない容器であってもその内部をきれいに洗浄することができる。
【発明の開示】
【発明が解決しようとする課題】
【０００４】
ところで、図１５のような洗浄具１においては、図示したように、哺乳瓶６の内面を洗浄する場合には、洗浄部３の回転により、瓶６の内部を全面にわたって簡単に洗浄することができる点を有しているが、瓶６内に部分的に汚れの酷い箇所があった場合には、かえって洗いにくいという問題がある。
【０００５】
すなわち、洗浄具１においては、図１５に示すように、洗浄部３を回転させることで簡単に洗浄できるようにするため、湾曲部４を介して設けたハンドル５が設けられる構造となっている。
このため、ハンドル５を使用者が握って、洗浄部３を哺乳瓶６内の汚れのこびりついた箇所等に押し当てて、矢印Ｂの方向に動かし、この汚れを擦り取ろうとする場合には、握っているハンドル５と柄２の軸線がずれているために力がかかりにくく、また、ハンドル５が回転してしまうことから、汚れた箇所を強く擦りつけられるように力をかけて、うまく汚れを擦り取ることができないという欠点があった。
【０００６】
本発明は、このような問題を解決するためになされたもので、回転方向に動かしても、柄の長さ方向に動かしても適切に洗浄することができる洗浄具を提供することを目的としている。
【課題を解決するための手段】
【０００７】
上記目的は、請求項１の発明によれば、柄と、この柄の一端に配設された褶擦部とを備える洗浄具であって、前記柄が、前記一端に前記褶擦部を備えた長く延びる本体と、この本体から他端側に延びており、前記本体の長さ方向の中心軸よりも外側に偏心して設けられる回動可能な把手部と、前記本体の前記中心軸から前記外側の方向に曲折もしくは湾曲して延びており、前記本体と前記把手部とを接続する部分と、前記曲折もしくは湾曲した接続部分から延びる突出部とされた保持部とを備えており、前記保持部が引き金形状とされている、洗浄具により、達成される。
【０００８】
請求項１の構成によれば、柄本体の長さ方向の中心軸と偏心した位置に設けた把手部を有することにより、褶擦部を容器内にさし入れた状態で、把手部を回転もしくは回動させることで、簡単に容器の洗浄を行うことができる。
しかも、前記柄の本体と前記把手部との間に、前記本体の前記中心軸から前記外側の方向に曲折もしくは湾曲して延びており、前記本体と前記把手部とを接続する部分が設けられ、この湾曲した接続部分から延びる引き金形状の突出部とされた保持部が形成されている。このため、使用者は、例えば、中指等の外側の指を使って把手部を握った状態にて、他の指で把手部より前方に位置する保持部に、人指し指を当てるだけで支持することができる。ここで、保持部は湾曲した接続部分から延びている。このため、把手部の軸線よりも柄の前記軸線に近い位置で、柄の一部を支持することになるから、手により加えられる力が、前記把持部の軸線から移され、前記柄（本体）の前記中心軸に沿った仮想の軸線上と一致する。この状態で、容易に柄の長さ方向に褶擦部を褶動させることができる。
【０００９】
また上記目的は、請求項２の発明によれば、柄と、この柄の一端に配設された褶擦部とを備える洗浄具であって、前記柄が、前記一端に前記褶擦部を備えた長く延びる本体と、この本体から他端側に延びており、前記本体の長さ方向の中心軸よりも外側に偏心して設けられる回動可能な把手部と、前記本体の前記中心軸から前記外側の方向に曲折もしくは湾曲して延びており、前記本体と前記把手部とを接続する部分と、前記接続部分の前記湾曲もしくは曲折箇所において、その表面に滑り止め手段を形成してなる保持部とを備える洗浄具により、達成される。
【００１０】
請求項２の構成によれば、柄本体の長さ方向の中心軸と偏心した位置に設けた把手部を有することにより、褶擦部を容器内にさし入れた状態で、把手部を回転もしくは回動させることで、簡単に容器の洗浄を行うことができる。
しかも、前記柄の本体と前記把手部との間に、前記本体の前記中心軸から前記外側の方向に曲折もしくは湾曲して延びており、前記本体と前記把手部とを接続する部分が設けられ、この湾曲した接続部分の前記湾曲もしくは曲折箇所において、その表面に滑り止め手段を形成してなる保持部が形成されている。このため、使用者は、例えば、中指等の外側の指を使って把手部を握った状態にて、他の指で把手部より前方に位置する保持部を、滑る心配がない状態で支持することができる。ここで、保持部は接続部分の湾曲もしくは曲折した部分に設けられているから、把持部よりも前記柄の本体の中心軸に近い。つまり、柄の前記中心軸もしくはその軸線に近い位置で、柄の一部を支持することになるから、手により加えられる力が、前記把持部の軸線から移され、前記柄（本体）の前記中心軸に沿った仮想の軸線上と一致する。この状態で、容易に柄の長さ方向に褶擦部を褶動させることができる。
【００１１】
また上記目的は、請求項３の発明によれば、柄と、この柄の一端に配設された褶擦部とを備える洗浄具であって、前記柄が、前記一端に前記褶擦部を備えた長く延びる本体と、この本体から他端側に延びており、前記本体の長さ方向の中心軸よりも外側に偏心して設けられる回動可能な把手部と、前記本体の前記中心軸から前記外側の方向に曲折もしくは湾曲して延びており、前記本体と前記把手部とを接続する部分と、前記接続部分の前記湾曲もしくは曲折箇所において、他の領域よりも厚みを薄くすることにより形成した保持部とを備える洗浄具により、達成される。
【００１２】
請求項３の構成によれば、柄本体の長さ方向の中心軸と偏心した位置に設けた把手部を有することにより、褶擦部を容器内にさし入れた状態で、把手部を回転もしくは回動させることで、簡単に容器の洗浄を行うことができる。
しかも、前記柄の本体と前記把手部との間に、前記本体の前記中心軸から前記外側の方向に曲折もしくは湾曲して延びており、前記本体と前記把手部とを接続する部分が設けられ、この湾曲した接続部分の前記湾曲もしくは曲折箇所において、他の領域よりも厚みを薄くすることにより形成した保持部が形成されている。このため、使用者は、例えば、中指等の外側の指を使って把手部を握った状態にて、他の指で把手部より前方に位置する保持部を支持することができる。特に、この保持部は、柄の厚みを薄くして形成されているので、例えば、支持する指が当接しやすくなっている。ここで、保持部は接続部分の湾曲もしくは曲折した部分に設けられているから、把持部よりも前記柄の本体の中心軸に近い。つまり、柄の前記中心軸もしくはその軸線に近い位置で、柄の一部を支持することになるから、手により加えられる力が、前記把持部の軸線から移され、前記柄（本体）の前記中心軸に沿った仮想の軸線上と一致する。この状態で、容易に柄の長さ方向に褶擦部を褶動させることができる。
【００１３】
請求項４の発明は、請求項３の構成において、前記保持部の表面には滑り止め手段が設けられていることを特徴とする。
請求項４の構成によれば、前記厚みを薄くして形成した保持部の表面に滑り止め手段が設けられることで、保持部が掴みやすいだけでなく、掴んだ状態で、極端に力を加えなくても、滑ることがなく保持できる。このため、前記褶擦部を柄の長さ方向にそって、より容易に力をこめて移動させることができる。
【発明の効果】
【００１４】
以上述べたように、本発明によれば、回転方向に動かしても、柄の長さ方向に動かしても適切に洗浄することができる洗浄具を提供することができる。
【発明を実施するための最良の形態】
【００１５】
以下、この発明の好適な実施形態を添付図面を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００１６】
（第１の実施形態）
図１は、本発明の第１の実施形態による洗浄具を横にした状態で示す正面図である。
図において、洗浄具１０は、比較的長尺な柄１１と、この柄１１の一端に配設された褶擦部１２とを備えている。そして、柄１１は、一端に褶擦部１２を含む長く延びた本体１６と、この本体から他端側に延びており、前記本体の長さ方向の中心軸よりも外側に偏心して設けられる把手部１３と、前記本体１６と前記把手部１３との間に形成した保持部１５とを備えている。
【００１７】
上記柄１１は、好ましくは多少弾力のある合成樹脂の成形品等により長い棒状に構成されている。柄１１の先端（図において左端）側には、後述するスリットが形成されており、このスリットに褶擦部材を挿入固定することにより褶擦部１２が設けられている。
【００１８】
上記柄１１の本体１６の他端（図において右端）は、外側に湾曲する湾曲部１４が連続的に形成されている。この湾曲部１４は、図示するように曲線状に曲がっていても、あるいは、クランク状に曲折していてもよい。
湾曲部１４に連続して、把手部１３が設けられている。把手部１３は、好ましくは、使用者の手に握られたときに、人指し指から小指までの掌の幅と同等の長さを有しており、把手部１３の仮想の中心軸Ｃ２の周囲に回転するようになっている。
【００１９】
この把手部１３は、柄本体１６の長さ方向の中心軸Ｃ１に対して、上記湾曲部１４の湾曲方向もしくは曲折方向に対応して偏心していて、このため把手部１３の仮想の中心軸線Ｃ２は、柄本体１６の長さ方向の中心軸Ｃ１より外側に位置している。つまり、柄本体１６の中心軸Ｃ１よりも、把手部１３の中心軸Ｃ２は外側に存在することが重要で、間にある湾曲部１４はこのような位置関係をきめる機能を果たす。そして、このような機能を果たすものであれば、湾曲部１４の形態はどのようなものでもよい。好ましくは、把手部１３の仮想の中心軸線Ｃ２は、図１に示されているように、例えば、その端部側（右端）が柄本体１６の長さ方向の中心軸Ｃ１に対して近づくように、やや傾斜している。
図２に示すように、把手部１３の中心には、湾曲部１４から一体に延びる軸１４ａが位置していて、筒状のハンドル１３ａがこの軸１４ａの外周に装着されることによりハンドル１３ａは矢印方向に自由に回動するようになっている。
【００２０】
図１において、湾曲部１４の内側，すなわち、図において、下側には、保持部として、例えば、ほぼ円形の挟持片１５が形成されている。この保持部は、後述するように、種々の形態が考えられるが、この実施形態は、挟持片１５は、好ましくは、湾曲部１４と一体に形成されており、図３に示す図１のＣ−Ｃ線端面図に表されているように、両側から指で挟持されやすいように、左右の表面が平らで、その平らな表面には、滑り止め手段としての小さな突起１５ａが複数形成されている。
ここで、挟持片１５は、図１において、湾曲部１４の内側（図において下側）で外側（図において上側）でない位置に設けられることが好ましい。これにより、後述するように、把手１３を把持した状態で、この挟持片１５を指により保持しやすいし、しかも、挟持片１５の位置を柄本体１６の軸線Ｃ１に近接させることができる。また、挟持片１５は、後述するように、両側から指で挟持することができれば、図示の形状に限らず、種々の形態を採用できる。
【００２１】
また、図１を参照すると、褶擦部１２は、柄本体１６の先端（図において左端）にて、特に上下の方向に大きく張り出して拡がった褶擦部材により構成されている。この褶擦部１２は、例えば、スポンジやウレタン等の弾力性があって比較的柔らかい材料により形成されており、図示しないが、ナイロン等ブラシにより形成されていてもよい。
【００２２】
そして、褶擦部１２は、図示の実施形態の場合、その把手１３側端部の外側周縁部１２ａが小さなＲ状の曲面となっている。この周縁部１２ａの曲面形状は、後述する洗浄対象である容器の内面の上端形状とほぼ一致するようにされている。
また、褶擦部１２の把手側端部１２ｂは、図示されているように、把手部１３の方向に向かって緩やかに縮径するようにテーパ状もしくはコーン状とされている。
【００２３】
図４は、この褶擦部１２を図１の上面から見た状態を示している。
柄本体１６には、その先端から長さ方向に沿ってスリット１７が形成されており、このスリット１７には、褶擦部材が２つ折り状にされて挿入固定されることによって、上記褶擦部１２が形成されている。
【００２４】
ここで、重要な点は、好ましくはスリット１７は、図４に示された向きに開口している点である。言い換えれば、スリット１７は、柄本体１６の先端から見た断面において、把手部１３の偏心する方向と一致した方向に切り込みを形成することにより設けられている。すなわち、スリット１７は、図１においてＸの方向に開口を有している。
このため、このようなスリット１７に褶擦部１２を形成するための褶擦部材１９を後述するように取り付けた場合には、図４の方向には、柄１１もしくは柄本体１６は弾性により拡がった褶擦部１２により隠れてしまい、外部に露出しないが、図１の向きで見た場合には、紙面に露出している。
【００２５】
図５は、褶擦部１２の形成方法を示している。
図において示されたＸ，Ｙの方向は、図１のＸ，Ｙの方向と一致している。上述のように、柄本体１６の先端からは、長さ方向にスリット１７が形成されている。
一方、褶擦部１２を形成するための褶擦部材１９は、図示されているように、例えばスポンジ状の一方向に長い形状でなる部材であり、好ましくは、目の細かいスポンジ１９ａと目の粗いスポンジ１９ｂといった、異なった目の粗さを持つ複数の素材を組み合わせた一対の部材でなっている。具体的には、例えば、スポンジ部材１９ｂを、図示するように、スポンジ部材１９ａで包むようにしている。
【００２６】
そして、この褶擦部材１９は図５に示されているように、曲折されて、各端部を揃えて、この両端部から先にスリット１７内に挿入することにより、曲折部の外面１９ｃが洗浄具の先端（図５の左端）側に向くようにされており、スリット１７の深さ（柄本体１６の長さ方向の深さ）は、曲折した褶擦部材１９の長さより短く設定されていることから、当該曲折部外面１９ｃの箇所は、スリット１７内に完全に入り込まないようになっている。これにより、褶擦部材１９の曲折部外面１９ｃは、スリット１７より外部に露出しやや膨らんだ状態となるようにして固定される。
これにより、図１に示す褶擦部１２においても、その曲折部の外面１２ｃが先端を向くようにされている。この構成が、後述する容器の底部を洗浄する際に重要な機能を発揮する。
【００２７】
本実施形態は以上のように構成されており、次にその使用方法を説明する。
先ず、図６に示されているように、本実施形態の洗浄具１０は、例えば、哺乳瓶のような開口が小さくて、深い容器を洗浄するのに適している。
すなわち、使用者は、例えば左手ＬＨにより容器２１をその開口が上を向くようにして支える。そして、利き手である右手ＲＨで洗浄具１０の把手部１３を握ると、図示されているように、その親指Ｆ１や人指し指Ｆ２を含めたその他の指Ｆ２，Ｆ３，Ｆ４等により、把手部１３をしっかり把持して、矢印方向に回転もしくは回動させると、褶擦部１２も容器２１の内部で矢印方向に回転もしくは回動する。この場合、上述したように、把手部１３の仮想の中心軸線Ｃ２は、図１に示されているように、例えば、その端部側（右端）が柄本体１６の長さ方向の中心軸Ｃ１に対して近づくように、やや傾斜している。このため、把手部１３は、肘を使った大きな動きではなく、手首を小さく回すことによって、回転もしくは回動させることができる。
そして、褶擦部１２の周囲側面で、容器２１の内面を擦ることにより、洗剤や水等とともに、容器２１内面の汚れが擦りとられて、容器２１の内側を簡単に洗浄することができる。
【００２８】
ここで、容器２１の内面に、汚れ等がこびりついてしまい、上述のような洗い方では容易にきれいにならない場合において、本実施形態の洗浄具１０では、図７のようにして洗浄することができる。
すなわち、右手ＲＨによる把手１３の把持状態を図７のように持ち替える。つまり、把手１３を握っていた手から親指Ｆ１と人差し指Ｆ２だけを離し、残りの指は把手部１３を握ったままで、親指Ｆ１と人差し指Ｆ２で、保持部としての挟持片１５を両側から挟み込むように保持する。
【００２９】
これにより、右手ＲＨによる支持力は、把手部１３を握ることによる力が、この挟持片１５を親指Ｆ１と人差し指Ｆ２とで挟持することにより、柄本体１６の仮想の中心軸（図１参照）にほぼ一致した軸線状に移されることになる。また、把手部１３の回転を防止することができる。
【００３０】
一方、この時、容器２１の上記した汚れがこびりついた箇所は、下側に位置するようにする。そして、左手ＬＨは、好ましくは、容器２１の下面に添えるようにして、容器２１を下から支える。
この状態において、右手ＲＨに力を込めて、洗浄具１０の先端側を下に押しつけながら、矢印方向に往復させると、褶擦部１２の下側が強い力で、容器２１の内側の汚れがこびりついた箇所に押しつけられて擦られる。
これにより、図６のような回転方式により落ちなかった汚れを適切に洗浄してより清潔な容器とすることができる。
このように、洗浄具１０は、回転方向に動かしても、柄１１の長さ方向に動かしても容器２１を適切に洗浄することができる。
【００３１】
特に、本実施形態における洗浄具１０の場合、スポンジ状の褶擦部１２は、図４で説明したように、褶擦部材１９を固定するためのスリット１７の形成方向を工夫されていることから、図７の洗浄具１０の下面には、柄１１もしくは柄本体１６が露出していない。このため、容器２１の汚れた内面に、柄１１を擦りつけることなく、褶擦部１２を直接当てることができる。
これにより、褶擦部１２が矢印方向に往復しながら、強力に汚れを擦りとることができる。
【００３２】
さらに、本実施形態の洗浄具１０を図８に示すように、容器２１の奥へ矢印方向にそって押しこんだ場合においては、褶擦部１２の先端１２ｃは、上述したように、曲折外面となっていることから、この突出したスポンジ状の曲折外面１２ｃを洗いにくい容器本体２１の底部２１ａに簡単に押し当てることができる。これにより、図６のように回転させることで、汚れの落としにくい容器２１の底部２１ａを簡単にきれいにすることができる。特に、スポンジ状の曲折外面１２ｃは、スリット１７より外部に露出しやや膨らんだ状態となるようにして固定される。このため、曲折部外面１９ａは、曲折による反発のため、強いコシを付与されている。このため、容器２１の底部２１ａを強く擦ることができ、このため、きれいに洗浄することができる。
【００３３】
しかも、図９に示すように、洗浄具１０を矢印方向に引き上げると、褶擦部１２の周縁端部１２ａを容器２１の開口付近の上端付近（容器本体の肩の部分）内面２１ｂに押し当てることができる。そして、この周縁端部１２ａの外形は、上述したように、容器２１の肩部の凹面形状に沿って、これとほぼ同一の形状となているから、このような隅の部分の汚れを簡単に洗浄することができる。
【００３４】
このようにして、容器２１の洗浄が終わったら、図９において、洗浄具１０を矢印方向にさらに引き上げると、褶擦部１２の端面１２ｂは、容器２１の内面に沿ったテーパ形状となっているので、容器２１内から、洗浄具１０を容易に引き抜くことができる。
【００３５】
（第２の実施形態）
図１０は、本発明の第２の実施形態による洗浄具を横にした状態で示す正面図である。
洗浄具３０において、第１の実施形態による洗浄具１０と同一の符号を付した箇所は共通する構成であるから、重複する説明は省略し、以下、相違点を中心に説明する。
図１０において、洗浄具３０は、比較的長尺な柄１１と、この柄１１の一端に配設された褶擦部３２とを備えている。そして、柄１１は、一端に褶擦部３２を含む長く延びた本体１６と、把手部１３と、前記本体１６と前記把手部１３との間に形成した挟持片１５とを備えている点は、第１の実施形態と同じである。
【００３６】
本体１６の先端側（左端側）に形成される褶擦部３２は、本体１６の先端に挿入固定された芯材３７と、この芯材３７に植毛固定された多数の植毛材３８とを有しており、植毛材３８は、図１において、芯材３７の周囲において、中心軸Ｃ１の周囲の３６０度の方向にブラシ状に広がっている。
【００３７】
このような褶擦部３２の形成方法の一例を簡単に説明すると、先ず、芯材３７となる一本の長いワイヤを用意する。
長いワイヤは、その途中にて折り曲げられ、各半分の芯材の間には、ワイヤの延びる方向と交差する方向に多数の植毛材３８を並列に並べる。
ここで、芯材３７となるワイヤは、例えば細くて丈夫な鋼線が用いられ、表面はメッキ処理等により防錆処理されている。植毛材３８としては、例えば、細くて、こしのある丈夫なナイロン繊維により形成したナイロンブラシ用の材料が適しており、これらに限らず、これらとほぼ共通の性質を有した種々の材料を用いることができる。
【００３８】
次いで、所定の治具もしくは装置を用いて、芯材３７の一端部を軸回りに回転させることによって、上記ワイヤを縒り合わせることにより、芯材３７としての縒り線を形成する。
これにより、ワイヤの縒り線を形成する多数のループ状部分毎に、複数本，もしくは多数本の植毛材３８が挟み込まれる。
これにより、多数の各ループ状部分が、図１０の中心軸Ｃ１を中心としてのその周囲３６０度の方向に沿って、その向きが順次変化することにより、各ループ状部分から両側に突出して固定されている植毛部材３８は、全体として放射状に開く状態となり、褶擦部３２の全体としては、図１０に示すように、太い棒状のブラシを形成することになる。
【００３９】
ここで、本実施形態においては、褶擦部３２の好ましくは先端部１２ａにおいて、例えば図１０に示されているように、芯材３７を例えばスパイラル状に湾曲させたり、曲折させたりする加工を行う。
ここで、先端褶擦部３２ａを形成するためには、芯材３７の一端を図示のように湾曲させるだけでなく、少なくとも、例えば、図１０の軸線Ｃ１よりも外側に変位させるだけで形成してもよく、あるいは角部を有するように角度をもって曲折しても、さらに他の軌跡を描くように形状を工夫してもよい。
そして、この先端褶擦部３２ａにおいては、その芯材３７の各ループ状部分３７ｄに挟み込まれる植毛部材３８の本数を他の箇所よりも多くすることで、植毛密度を高くしている。
【００４０】
好ましくは、この先端褶擦部３２ａにおいて植毛される植毛材３８ｂは、他の箇所の植毛材３８ａよりもその太さを細くするとともに、このましくは、色を変えるようにする。
例えば、植毛材３８ｂの色を白色とし、植毛材３８ａの色を青色やピンク色にする等の処理を行えば、褶擦部３２の先端部と他の箇所で色が異なることが視覚的に注意を引きやすく、製造時に、先端褶擦部に使用すべき部材と褶擦部の他の箇所に使用すべき部材を混同して、誤って組み立てることを防止することができる。
【００４１】
本実施形態は、以上のように構成されており、第１の実施形態と同様に、洗浄すべき容器２１内に褶擦部３２を挿入して、図６及び図７に示すように、回転方向にも、長さ方向にも移動させて洗浄することができる。
また、図８で説明した容器２１の底部２１ａを洗浄する際には、上述したように、褶擦部３２の先端３２ａにおいて、植毛部材３８の密度を高めてあることにより、容器本体２１の底部２１ａに接触する植毛部材の単位面積当たりの本数は、植毛密度に応じて増加されている。このため、多数の植毛部材によるブラシ状先端が、この底部２１ａにこびりついた汚れを掻き取るように擦り落とすことができる。これにより、図６のように回転させることで、汚れの落としにくい容器２１の底部２１ａを簡単にきれいにすることができる。
【００４２】
（第３の実施形態）
図１１は、本発明の第３の実施形態による洗浄具を横にした状態で示す正面図である。
洗浄具４０において、第１の実施形態による洗浄具１０と同一の符号を付した箇所は共通する構成であるから、重複する説明は省略し、以下、相違点を中心に説明する。
この洗浄具４０では、保持部４５の構成が上述の各実施形態とは異なっている。すなわち、この保持部４５は、湾曲部１４の内側にて、柄１１本体１６から一体に延びる引き金形状とされている。
【００４３】
これにより、本実施形態の洗浄具４０を図７で説明したように使用する場合においては、把手１３を親指Ｆ１と人差し指Ｆ２を除く他の指で握り、人差し指Ｆ２だけを、銃の引き金を引く時のように、保持部４５に当てる。
【００４４】
これにより、右手ＲＨによる支持力は、把手部１３を握ることによる力が、この保持部４５に人差し指Ｆ２を添えることで、柄本体１６の仮想の中心軸（図１参照）にほぼ一致した軸線状に移されることになる。また、把手部１３の回転を防止することができる。
【００４５】
一方、この時、容器２１の上記した汚れがこびりついた箇所は、図７で説明したのと同様に、下側に位置するようにする。そして、左手ＬＨは、好ましくは、容器２１の下面に添えるようにして、容器２１を下から支える。
この状態において、右手ＲＨに力を込めて、洗浄具４５の先端側を下に押しつけながら、長さ方向に往復させると、褶擦部１２の下側が強い力で、容器２１の内側の汚れがこびりついた箇所に押しつけられて擦られる。
これにより、図６のような回転方式により落ちなかった汚れを適切に洗浄してより清潔な容器とすることができる。
このように、洗浄具４０は、第１の実施形態と同様な作用効果を発揮することができる。
【００４６】
（第４の実施形態）
図１２（ａ）は、本発明の第４の実施形態による洗浄具を横にした状態で示す正面図である。
洗浄具５０において、第１の実施形態による洗浄具１０と同一の符号を付した箇所は共通する構成であるから、重複する説明は省略し、以下、相違点を中心に説明する。
この洗浄具５０では、保持部５５の構成が上述の各実施形態とは異なっている。すなわち、この保持部５５は、湾曲部１４の箇所にて、柄１１本体１６と別体に形成されている。
【００４７】
そして、図１２（ｂ）に示す図１２（ａ）のＤ−Ｄ線切断端面図に表されているように、保持部５５は、その表面側５７が柄１１とは異なる材質，すなわち、弾力ある柔軟な材質，例えば、エラストマー等により形成されている。そして、その中心には、硬質の芯材５６が配置されている。そして、表面側５７の外面には、滑り止め手段としての小さな突起５５ａが複数形成されている。
【００４８】
これにより、本実施形態の洗浄具５０を図７で説明したように使用する場合においては、把手１３を親指Ｆ１と人差し指Ｆ２を除く他の指で握り、親指Ｆ１と人差し指Ｆ２で、保持部５５の両側から挟むようにして支持することができる。
この場合、保持部５５は、弾力を備えた材料で形成されているから、親指Ｆ１と人差し指Ｆ２で挟んだときに、指が当接した箇所がわずかに凹んで、小さな突起５５ａが滑り止めとなり、しっかりと支持される。
したがって、本実施形態も他の実施形態と同様の作用効果を発揮することができる。
【００４９】
（第５の実施形態）
図１３（ａ）は、本発明の第５の実施形態による洗浄具を横にした状態で示す正面図である。
洗浄具６０において、第１の実施形態による洗浄具１０と同一の符号を付した箇所は共通する構成であるから、重複する説明は省略し、以下、相違点を中心に説明する。
この洗浄具６０では、保持部６５の構成が上述の各実施形態とは異なっている。すなわち、この保持部６５は、湾曲部１４の箇所にて、柄１１の本体１６の厚みを薄くすることにより形成されている。
【００５０】
すなわち、図１３（ｂ）に示す図１３（ａ）Ｅ−Ｅ線切断端面図に表されているように、保持部６５は、本体１６の幅方向の厚みが薄くされていると共に、その表面には、滑り止め手段としての小さな突起６５ａが複数形成されている。
【００５１】
これにより、本実施形態の洗浄具６０を図７で説明したように使用する場合においては、把手１３を親指Ｆ１と人差し指Ｆ２を除く他の指で握り、親指Ｆ１と人差し指Ｆ２で、保持部６５の両側から挟むようにして支持することができる。
この場合、保持部６５は、本体１６の幅方向の厚みを薄くすることで、表面が曲面ではなく、平面となっている。このため、親指Ｆ１と人差し指Ｆ２の当接面が平面となることで、これらの指が当接しやすく、小さな突起６５ａが滑り止めとなり、しっかりと支持される。
したがって、本実施形態も他の実施形態と同様の作用効果を発揮することができる。
【００５２】
（第６の実施形態）
図１４は、本発明の第６の実施形態による洗浄具を横にした状態で示す正面図である。
洗浄具７０において、第１の実施形態による洗浄具１０と同一の符号を付した箇所は共通する構成であるから、重複する説明は省略し、以下、相違点を中心に説明する。
【００５３】
この洗浄具７０では、保持部７５の構成が上述の各実施形態とは異なっている。すなわち、この保持部７５は、その基本形状が図１の保持部１５と同じように挟持片として構成されているが、設けられている箇所が湾曲部１５の内側ではなく、外側（図１４では上側）である点で相違する。
したがって、この実施形態の洗浄具７０も図７で説明したように使用する場合において、親指Ｆ１と人差し指Ｆ２を除く残りの指で把手部１３を握ったままで、親指Ｆ１と人差し指Ｆ２で、保持部としての挟持片７５を両側から挟み込むように保持することができる。
【００５４】
これにより、右手ＲＨによる支持力に関して、この挟持片１５を親指Ｆ１と人差し指Ｆ２とで挟持することにより、把手部１３を握ることによる力が、柄本体１６の仮想の中心軸（図１４参照）に近づくくことになる。したがって、図１の実施形態のように、柄本体１６の仮想の中心軸と一致する程度まで上記力が移動することはないが、これとほぼ同等の力の移動により、柄１１を安定的に支持することができる。
かくして、この実施形態の洗浄具７０も第１の実施形態とほぼ同様の作用効果を発揮することができる。
【００５５】
本発明は、上述の実施形態に限定されない。
上述の各実施形態の各構成要素は、本発明の効果を発揮する限りにおいて、個々に省略することができ、あるいは相互に組み合わせたりすることができるし、さらに、上述の説明で言及しない構成を付加することができる。
【図面の簡単な説明】
【００５６】
【図１】本発明の実施形態に係る洗浄具を横にした状態で示す概略正面図である。
【図２】図１の洗浄具の把手部の構成を示す部分断面図である。
【図３】図１の洗浄具の挟持片の構成を示す部分端面図である。
【図４】図１の洗浄具の褶擦部３２を上から見た状態を示す部分平面図である。
【図５】図１の洗浄具の褶擦部３２の形成方法を説明する概略説明図である。
【図６】図１の洗浄具を回転させて洗浄する様子を示す説明図である。
【図７】図１の洗浄具を軸方向に往復させて洗浄する様子を示す説明図である。
【図８】図１の洗浄具により、容器の底部を洗浄する様子を示す説明図である。
【図９】図１の洗浄具により、容器の肩部を洗浄する様子を示す説明図である。
【図１０】本発明の第２の実施形態に係る洗浄具を横にした状態で示す概略正面図である。
【図１１】本発明の第３の実施形態に係る洗浄具を横にした状態で示す概略正面図である。
【図１２】本発明の第４の実施形態に係る洗浄具を横にした状態で示す概略正面図である。
【図１３】本発明の第５の実施形態に係る洗浄具を横にした状態で示す概略正面図である。
【図１４】本発明の第６の実施形態に係る洗浄具を横にした状態で示す概略正面図である。
【図１５】従来の洗浄具の一例を示す図である。
【符号の説明】
【００５７】
１０・・・洗浄具、１１・・・柄、１２・・・褶擦部、１３・・・把手部、１４・・・湾曲部、１５・・・挟持片、１６・・・（柄）本体、１７・・・スリット
【図１】
2006247409.tif 000003
【図２】
2006247409.tif 000004
【図３】
2006247409.tif 000005
【図４】
2006247409.tif 000006
【図５】
2006247409.tif 000007
【図６】
2006247409.tif 000008
【図７】
2006247409.tif 000009
【図８】
2006247409.tif 000010
【図９】
2006247409.tif 000011
【図１０】
2006247409.tif 000012
【図１１】
2006247409.tif 000013
【図１２】
2006247409.tif 000014
【図１３】
2006247409.tif 000015
【図１４】
2006247409.tif 000016
【図１５】
2006247409.tif 000017
【手続補正書】
【提出日】平成18年5月15日(2006.5.15)
【手続補正１】
【補正対象書類名】特許請求の範囲
【補正対象項目名】全文
【補正方法】変更
【補正の内容】
【特許請求の範囲】
【請求項１】
柄と、この柄の一端に配設された褶擦部とを備える洗浄具であって、
前記柄が、
前記一端に前記褶擦部を備えた長く延びる本体と、
この本体から他端側に延びており、前記本体の長さ方向の中心軸よりも外側に偏心して設けられる回動可能な把手部と、
前記本体の前記中心軸から前記外側の方向に曲折もしくは湾曲して延びており、前記本体と前記把手部とを接続する部分と、
前記接続部分の前記湾曲もしくは曲折箇所において、その表面に滑り止め手段を形成してなる保持部と
を備えてることを特徴とする、洗浄具。
【請求項２】
柄と、この柄の一端に配設された褶擦部とを備える洗浄具であって、
前記柄が、
前記一端に前記褶擦部を備えた長く延びる本体と、
この本体から他端側に延びており、前記本体の長さ方向の中心軸よりも外側に偏心して設けられる回動可能な把手部と、
前記本体の前記中心軸から前記外側の方向に曲折もしくは湾曲して延びており、前記本体と前記把手部とを接続する部分と、
前記接続部分の前記湾曲もしくは曲折箇所において、他の領域よりも厚みを薄くすることにより形成した保持部と
を備えてることを特徴とする、洗浄具。
【請求項３】
前記保持部の表面には滑り止め手段が設けられていることを特徴とする請求項２に記載の洗浄具。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
上記目的は、請求項１の発明によれば、柄と、この柄の一端に配設された褶擦部とを備える洗浄具であって、前記柄が、前記一端に前記褶擦部を備えた長く延びる本体と、この本体から他端側に延びており、前記本体の長さ方向の中心軸よりも外側に偏心して設けられる回動可能な把手部と、前記本体の前記中心軸から前記外側の方向に曲折もしくは湾曲して延びており、前記本体と前記把手部とを接続する部分と、前記接続部分の前記湾曲もしくは曲折箇所において、その表面に滑り止め手段を形成してなる保持部とを備える洗浄具により、達成される。
【手続補正５】
【補正対象書類名】明細書
【補正対象項目名】００１０
【補正方法】変更
【補正の内容】
【００１０】
請求項１の構成によれば、柄本体の長さ方向の中心軸と偏心した位置に設けた把手部を有することにより、褶擦部を容器内にさし入れた状態で、把手部を回転もしくは回動させることで、簡単に容器の洗浄を行うことができる。
しかも、前記柄の本体と前記把手部との間に、前記本体の前記中心軸から前記外側の方向に曲折もしくは湾曲して延びており、前記本体と前記把手部とを接続する部分が設けられ、この湾曲した接続部分の前記湾曲もしくは曲折箇所において、その表面に滑り止め手段を形成してなる保持部が形成されている。このため、使用者は、例えば、中指等の外側の指を使って把手部を握った状態にて、他の指で把手部より前方に位置する保持部を、滑る心配がない状態で支持することができる。ここで、保持部は接続部分の湾曲もしくは曲折した部分に設けられているから、把手部よりも前記柄の本体の中心軸に近い。つまり、柄の前記中心軸もしくはその軸線に近い位置で、柄の一部を支持することになるから、手により加えられる力が、前記把手部の軸線から移され、前記柄（本体）の前記中心軸に沿った仮想の軸線上と一致する。この状態で、容易に柄の長さ方向に褶擦部を褶動させることができる。
【手続補正６】
【補正対象書類名】明細書
【補正対象項目名】００１１
【補正方法】変更
【補正の内容】
【００１１】
また上記目的は、請求項２の発明によれば、柄と、この柄の一端に配設された褶擦部とを備える洗浄具であって、前記柄が、前記一端に前記褶擦部を備えた長く延びる本体と、この本体から他端側に延びており、前記本体の長さ方向の中心軸よりも外側に偏心して設けられる回動可能な把手部と、前記本体の前記中心軸から前記外側の方向に曲折もしくは湾曲して延びており、前記本体と前記把手部とを接続する部分と、前記接続部分の前記湾曲もしくは曲折箇所において、他の領域よりも厚みを薄くすることにより形成した保持部とを備える洗浄具により、達成される。
【手続補正７】
【補正対象書類名】明細書
【補正対象項目名】００１２
【補正方法】変更
【補正の内容】
【００１２】
請求項２の構成によれば、柄本体の長さ方向の中心軸と偏心した位置に設けた把手部を有することにより、褶擦部を容器内にさし入れた状態で、把手部を回転もしくは回動させることで、簡単に容器の洗浄を行うことができる。
しかも、前記柄の本体と前記把手部との間に、前記本体の前記中心軸から前記外側の方向に曲折もしくは湾曲して延びており、前記本体と前記把手部とを接続する部分が設けられ、この湾曲した接続部分の前記湾曲もしくは曲折箇所において、他の領域よりも厚みを薄くすることにより形成した保持部が形成されている。このため、使用者は、例えば、中指等の外側の指を使って把手部を握った状態にて、他の指で把手部より前方に位置する保持部を支持することができる。特に、この保持部は、柄の厚みを薄くして形成されているので、例えば、支持する指が当接しやすくなっている。ここで、保持部は接続部分の湾曲もしくは曲折した部分に設けられているから、把手部よりも前記柄の本体の中心軸に近い。つまり、柄の前記中心軸もしくはその軸線に近い位置で、柄の一部を支持することになるから、手により加えられる力が、前記把手部の軸線から移され、前記柄（本体）の前記中心軸に沿った仮想の軸線上と一致する。この状態で、容易に柄の長さ方向に褶擦部を褶動させることができる。
【手続補正８】
【補正対象書類名】明細書
【補正対象項目名】００１３
【補正方法】変更
【補正の内容】
【００１３】
請求項３の発明は、請求項２の構成において、前記保持部の表面には滑り止め手段が設けられていることを特徴とする。
請求項３の構成によれば、前記厚みを薄くして形成した保持部の表面に滑り止め手段が設けられることで、保持部が掴みやすいだけでなく、掴んだ状態で、極端に力を加えなくても、滑ることがなく保持できる。このため、前記褶擦部を柄の長さ方向にそって、より容易に力をこめて移動させることができる。
【手続補正９】
【補正対象書類名】明細書
【補正対象項目名】００３３
【補正方法】変更
【補正の内容】
【００３３】
しかも、図９に示すように、洗浄具１０を矢印方向に引き上げると、褶擦部１２の周縁端部１２ａを容器２１の開口付近の上端付近（容器本体の肩の部分）内面２１ｂに押し当てることができる。そして、この周縁端部１２ａの外形は、上述したように、容器２１の肩部の凹面形状に沿って、これとほぼ同一の形状となっているから、このような隅の部分の汚れを簡単に洗浄することができる。
【手続補正１０】
【補正対象書類名】明細書
【補正対象項目名】００４２
【補正方法】変更
【補正の内容】
【００４２】
図１１は、参考例による洗浄具を横にした状態で示す正面図である。
洗浄具４０において、第１の実施形態による洗浄具１０と同一の符号を付した箇所は共通する構成であるから、重複する説明は省略し、以下、相違点を中心に説明する。
この洗浄具４０では、保持部４５の構成が上述の各実施形態とは異なっている。すなわち、この保持部４５は、湾曲部１４の内側にて、柄１１本体１６から一体に延びる引き金形状とされている。
【手続補正１１】
【補正対象書類名】明細書
【補正対象項目名】００４３
【補正方法】変更
【補正の内容】
【００４３】
これにより、洗浄具４０を図７で説明したように使用する場合においては、把手１３を親指Ｆ１と人差し指Ｆ２を除く他の指で握り、人差し指Ｆ２だけを、銃の引き金を引く時のように、保持部４５に当てる。
【手続補正１２】
【補正対象書類名】明細書
【補正対象項目名】００４６
【補正方法】変更
【補正の内容】
【００４６】
（第３の実施形態）
図１２（ａ）は、本発明の第３の実施形態による洗浄具を横にした状態で示す正面図である。
洗浄具５０において、第１の実施形態による洗浄具１０と同一の符号を付した箇所は共通する構成であるから、重複する説明は省略し、以下、相違点を中心に説明する。
この洗浄具５０では、保持部５５の構成が上述の各実施形態とは異なっている。すなわち、この保持部５５は、湾曲部１４の箇所にて、柄１１本体１６と別体に形成されている。
【手続補正１３】
【補正対象書類名】明細書
【補正対象項目名】００４９
【補正方法】変更
【補正の内容】
【００４９】
（第４の実施形態）
図１３（ａ）は、本発明の第４の実施形態による洗浄具を横にした状態で示す正面図である。
洗浄具６０において、第１の実施形態による洗浄具１０と同一の符号を付した箇所は共通する構成であるから、重複する説明は省略し、以下、相違点を中心に説明する。
この洗浄具６０では、保持部６５の構成が上述の各実施形態とは異なっている。すなわち、この保持部６５は、湾曲部１４の箇所にて、柄１１の本体１６の厚みを薄くすることにより形成されている。
【手続補正１４】
【補正対象書類名】明細書
【補正対象項目名】００５２
【補正方法】変更
【補正の内容】
【００５２】
（第５の実施形態）
図１４は、本発明の第５の実施形態による洗浄具を横にした状態で示す正面図である。
洗浄具７０において、第１の実施形態による洗浄具１０と同一の符号を付した箇所は共通する構成であるから、重複する説明は省略し、以下、相違点を中心に説明する。
【手続補正１５】
【補正対象書類名】明細書
【補正対象項目名】００５４
【補正方法】変更
【補正の内容】
【００５４】
これにより、右手ＲＨによる支持力に関して、この挟持片１５を親指Ｆ１と人差し指Ｆ２とで挟持することにより、把手部１３を握ることによる力が、柄本体１６の仮想の中心軸（図１４参照）に近づくことになる。したがって、図１の実施形態のように、柄本体１６の仮想の中心軸と一致する程度まで上記力が移動することはないが、これとほぼ同等の力の移動により、柄１１を安定的に支持することができる。
かくして、この実施形態の洗浄具７０も第１の実施形態とほぼ同様の作用効果を発揮することができる
【手続補正１６】
【補正対象書類名】明細書
【補正対象項目名】００５６
【補正方法】変更
【補正の内容】
【００５６】
【図１】本発明の実施形態に係る洗浄具を横にした状態で示す概略正面図である。
【図２】図１の洗浄具の把手部の構成を示す部分断面図である。
【図３】図１の洗浄具の挟持片の構成を示す部分端面図である。
【図４】図１の洗浄具の褶擦部３２を上から見た状態を示す部分平面図である。
【図５】図１の洗浄具の褶擦部３２の形成方法を説明する概略説明図である。
【図６】図１の洗浄具を回転させて洗浄する様子を示す説明図である。
【図７】図１の洗浄具を軸方向に往復させて洗浄する様子を示す説明図である。
【図８】図１の洗浄具により、容器の底部を洗浄する様子を示す説明図である。
【図９】図１の洗浄具により、容器の肩部を洗浄する様子を示す説明図である。
【図１０】本発明の第２の実施形態に係る洗浄具を横にした状態で示す概略正面図である。
【図１１】参考例に係る洗浄具を横にした状態で示す概略正面図である。
【図１２】本発明の第３の実施形態に係る洗浄具を横にした状態で示す概略正面図である。
【図１３】本発明の第４の実施形態に係る洗浄具を横にした状態で示す概略正面図である。
【図１４】本発明の第５の実施形態に係る洗浄具を横にした状態で示す概略正面図である。
【図１５】従来の洗浄具の一例を示す図である。
【手続補正１７】
【補正対象書類名】図面
【補正対象項目名】図１１
【補正方法】変更
【補正の内容】
【図１１】
2006247409.tif 000018
【手続補正１８】
【補正対象書類名】図面
【補正対象項目名】図１２
【補正方法】変更
【補正の内容】
【図１２】
2006247409.tif 000019
【手続補正１９】
【補正対象書類名】図面
【補正対象項目名】図１３
【補正方法】変更
【補正の内容】
【図１３】
2006247409.tif 000020
【手続補正２０】
【補正対象書類名】図面
【補正対象項目名】図１４
【補正方法】変更
【補正の内容】
【図１４】
2006247409.tif 000021